【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
ポリエステルポリマー及び
ポリエステルポリマー中に分散した０．００５μｍ〜１０μｍの中央値粒径を有する金属ニッケル粒子
を含んでなる再加熱を改善したポリエステル組成物。
【請求項２】
ポリエステルポリマー及び
ポリエステルポリマー中に分散した０．０５μｍ〜５μｍの中央値粒径を有する金属ニッケル粒子
を含んでなる再加熱を改善したポリエステル組成物。
【請求項３】
ポリエステルポリマー及び
ポリエステルポリマー中に分散した０．０５μｍ〜２μｍの中央値粒径を有する金属ニッケル粒子
を含んでなる再加熱を改善したポリエステル組成物。
【請求項４】
金属ニッケル粒子が、ポリエステル組成物の全体重量に対して、０．５ｐｐｍ〜５００ｐｐｍの量で存在する請求項１に記載のポリエステル組成物。
【請求項５】
金属ニッケル粒子が、ポリエステル組成物の全体重量に対して、１ｐｐｍ〜１００ｐｐｍの量で存在する請求項１に記載のポリエステル組成物。
【請求項６】
金属ニッケル粒子が、ポリエステル組成物の全体重量に対して、５ｐｐｍ〜５０ｐｐｍの量で存在する請求項１に記載のポリエステル組成物。
【請求項７】
ポリエステルポリマーがポリエチレンテレフタレートを含む請求項１に記載のポリエステル組成物。
【請求項８】
ポリエステル組成物が飲料用ボトル予備成形物の形態にある請求項１に記載のポリエステル組成物。
【請求項９】
ポリエステル組成物が飲料用ボトルの形態にある請求項１に記載のポリエステル組成物。
【請求項１０】
ポリエステル組成物が成形品の形態にある請求項１に記載のポリエステル組成物。
【請求項１１】
ポリエステルポリマーが連続相を含み、そして金属ニッケル粒子が連続相内に分散されている請求項１に記載のポリエステル組成物。
【請求項１２】
金属ニッケル粒子が０．０８μｍ〜１．１μｍの中央値粒径を有し、そして再加熱速度指標１．０５でＬ*輝度７０又はそれ以上にポリエステル組成物を保持しながら、少なくとも１．０５の再加熱速度指標を有するポリエステル組成物を提供する請求項１に記載のポリエステル組成物。
【請求項１３】
金属ニッケル粒子がニッケル被覆粒子を含む請求項１に記載のポリエステル組成物。
【請求項１４】
金属ニッケル粒子がニッケルを含む中空球体を含む請求項１に記載のポリエステル組成物。
【請求項１５】
金属ニッケル粒子が、ニッケル合金の全体重量に対して、少なくとも３０重量％の量でニッケルが存在するニッケル合金を含む請求項１に記載のポリエステル組成物。
【請求項１６】
金属ニッケル粒子が、ニッケル合金の全体重量に対して、少なくとも５０重量％の量でニッケルが存在するニッケル合金を含む請求項１に記載のポリエステル組成物。
【請求項１７】
ニッケル合金が鉄、クロム及びモリブデンを更に含む請求項１６に記載のポリエステル組成物。
【請求項１８】
金属ニッケル粒子が、ニッケル及び、ゲルマニウム、鉄、クロム、タングステン、モリブデン、チタン、バナジウム、炭素又はタンタルの１種又はそれ以上を含むニッケル合金を含む請求項１に記載のポリエステル組成物。
【請求項１９】
金属ニッケル粒子が、スパン（Ｓ）が０〜１０の、粒径分布を有する請求項１に記載のポリエステル組成物。
【請求項２０】
金属ニッケル粒子が、スパン（Ｓ）が０．０１〜２の、粒径分布を有する請求項１に記載のポリエステル組成物。
【請求項２１】
ポリ（エチレンテレフタレート）残基が少なくとも９０重量％のポリエステルポリマーを含むポリエステルポリマー；及び５〜５０ｐｐｍの量でポリエステルポリマー中にランダムに分散した０．０５μｍ〜２μｍの中央値粒径を有する金属ニッケル粒子を含んでなる、再加熱を改善したポリエステル組成物であって、前記ポリエステル組成物は１．０５以上の再加熱指標及び再加熱速度指標１．０５で７０以上のＬ*輝度レベルを有するポリエステル組成物。
【請求項２２】
ジカルボン酸ジエステルをジオールとエステル交換するか、又は直接ジカルボン酸をジオールとエステル化して１種又はそれ以上のポリエステルモノマー又はポリエステルオリゴマーを得ることを含むエステル化段階；
重縮合触媒の存在下、重縮合反応において１種又はそれ以上のポリエステルモノマー又はポリエステルオリゴマーを反応させて、０．５０ｄＬ／ｇ〜１．１ｄＬ／ｇのＩｔ．Ｖ．を有するポリエステルポリマーを製造することを含む重縮合段階；
溶融ポリエステルポリマーを粒子に固化させる粒子化段階；
固形物ポリマーが０．７０ｄＬ／ｇ〜１．２ｄＬ／ｇのＩｔ．Ｖ．に重合される任意的な固相化段階；及び
金属ニッケル粒子を添加し分散させて、ポリマーの重量で１ｐｐｍ〜１００ｐｐｍの量を提供することを含む粒子添加段階（ここで粒子添加段階は前記任意の段階の前、間又は後に実施する）、
を含んでなるポリエステル組成物を製造する方法。
【請求項２３】
前記方法が、固相化段階に続いて、得られる固形ポリマーを融解し、そして押出成形して、分散した金属ニッケル粒子を有する成形品を得る成形段階を含む請求項２２に記載の方法。
【請求項２４】
粒子添加段階を、固相化段階の間又は後で、且つ成形段階の前に、実施する請求項２３に記載の方法。
【請求項２５】
粒子添加段階を、成形段階の前又は間に、熱可塑性濃縮物重量に対して５０ｐｐｍ〜５，０００ｐｐｍ量の金属ニッケル粒子を含む熱可塑性濃縮物として、金属ニッケル粒子を添加することを含む請求項２２に記載の方法。
【請求項２６】
金属ニッケル粒子が０．００５μｍ〜１０μｍの中央値粒径を有する請求項２２に記載の方法。
【請求項２７】
粒子添加段階を、重縮合段階の前又は間に、実施する請求項２２に記載の方法。
【請求項２８】
粒子添加段階を、粒子化段階の前又は間に、実施する請求項２２に記載の方法。
【請求項２９】
粒子添加段階を、固化段階の前又は間に、実施する請求項２２に記載の方法。
【請求項３０】
粒子添加段階を、成形段階の前又は間に、実施する請求項２３に記載の方法。
【請求項３１】
ジカルボン酸がテレフタル酸を含む請求項２２に記載の方法。
【請求項３２】
ジカルボン酸ジエステルがジメチルテレフタレートを含む請求項２２に記載の方法。
【請求項３３】
ジオールがエチレングリコールを含む請求項２２に記載の方法。
【請求項３４】
ジカルボン酸がナフタレン・ジカルボン酸を含む請求項２２に記載の方法。
【請求項３５】
ジカルボン酸が芳香族ジカルボン酸を含む請求項２２に記載の方法。
【請求項３６】
熱可塑性濃縮物が、熱可塑性濃縮物重量に対して、０．１５重量％〜３５重量％の量の金属ニッケル粒子；及び熱可塑性濃縮物重量に対して、少なくとも６５重量％の量の熱可塑性ポリマーを含む請求項２５に記載の方法。
【請求項３７】
熱可塑性ポリマーがポリエステル、ポリオレフィン又はポリカーボネートの１種又はそれ以上を含む請求項３６に記載の方法。
【請求項３８】
溶融又は固形バルクポリエステル及び液体、溶融もしくは固形の、０．００５μｍ〜１０μｍの中央値粒径を有する金属ニッケル粒子を含む、ポリエステル濃縮組成物を、予備成形物を製造する機械に供給して、ポリエステル予備成形物重量に対して、１ｐｐｍ〜１００ｐｐｍの金属ニッケル粒子を有する予備成形物を得ることを含んでなるポリエステル予備成形物の製造方法。
【請求項３９】
金属ニッケル粒子が少なくとも０．１５重量％の量で濃縮組成物中に存在する請求項３８に記載の方法。
【請求項４０】
濃縮物ポリエステルポリマーがバルクポリエステルポリマーと同じ残基を含む請求項３９に記載の方法。
【請求項４１】
バルクポリエステルポリマー及びポリエステル濃縮物を、別々の流れで機械に供給する請求項３８に記載の方法。 
【請求項４２】
濃縮物ポリエステルが消費者使用後のリサイクルポリエステルを含む請求項３８に記載の方法。
【請求項４３】
０．００５μｍ〜１０μｍの中央値粒径を有する金属ニッケル粒子を含む濃縮物ポリエステル組成物を、未使用ポリエステルポリマー製造用の溶融相工程に添加して、ポリエステル組成物重量に対して、１ｐｐｍ〜１００ｐｐｍの金属ニッケル粒子を有するポリエステル組成物を得ることを含んでなるポリエステル組成物を製造する方法。
【請求項４４】
ポリエステル濃縮物を、前記溶融相がポリエステル濃縮物のＩｔ．Ｖ．の＋／−０．２Ｉｔ．Ｖ．ユニット内にあるＩｔ．Ｖ．を有する場合に、溶融相に添加する請求項４３に記載の方法。